(57)【要約】【課題】差動増幅回路に入力される基準電圧の素早い設定が可能な水位検出装置を提供する。【解決手段】水位検出装置２００は、浴槽内の水位に基づく水圧を検出し、当該水圧に応じた電圧を検出電圧Ｖ１として出力する水位センサ２１０と、検出電圧Ｖ１と基準電圧Ｖｒｅｆとが入力され、検出電圧Ｖ１と基準電圧Ｖｒｅｆとの差分電圧を増幅させる差動増幅回路２３０と、差動増幅回路２３０で増幅された増幅電圧Ｖ２が水位信号として入力されるマイコン２２０と、検出電圧Ｖ１をマイコン２２０に入力させるための検出電圧入力回路２５０と、を備える。マイコン２２０は、浴槽内に所定量の水が溜められた状態で検出電圧Ｖ１を取得し、取得した検出電圧Ｖ１に基づいて、水位信号の電圧値が所定値となる基準電圧Ｖｒｅｆの値を設定する。【選択図】図２
2019124658.tif 000002
【特許請求の範囲】
【請求項１】
槽内の水位に基づく水圧を検出し、当該水圧に応じた電圧を検出電圧として出力する水位センサと、
前記検出電圧と基準電圧とが入力され、前記検出電圧と前記基準電圧との差分電圧を増幅させる差動増幅回路と、
前記差動増幅回路で増幅された電圧が水位信号として入力される制御部と、
前記検出電圧を前記制御部に入力させるための検出電圧入力回路と、を備え、
前記制御部は、
前記槽内に所定量の水が溜められた状態で前記検出電圧を取得し、
取得した前記検出電圧に基づいて、前記水位信号の電圧値が所定値となる前記基準電圧の値を設定する、
ことを特徴とする水位検出装置。
【請求項２】
請求項１に記載の水位検出装置において、
前記制御部により設定される前記基準電圧の値は、前記制御部により取得された前記検出電圧の値に前記水位信号の電圧値が所定値となる前記差分電圧の値を加算した値である、
ことを特徴とする水位検出装置。
【請求項３】
浴槽内への給湯を行うふろ給湯装置において、
請求項１または２に記載の水位検出装置を備える、
ことを特徴とするふろ給湯装置。
【請求項４】
請求項３に記載のふろ給湯装置において、
前記基準電圧の設定は試運転時に行われる、
ことを特徴とするふろ給湯装置。
【発明の詳細な説明】
【技術分野】
【０００１】
本発明は、浴槽等の槽内の水位を検出する水位検出装置に関する。また、本発明は、浴槽内への給湯を行うふろ給湯装置に関する。
【背景技術】
【０００２】
従来、給湯器付き風呂釜等のふろ給湯装置には、浴槽内の水位を水圧により検出する水位センサが設けられている。たとえば、特許文献１に記載の自動ふろ装置のように、水位センサからは浴槽内の水位に基づく水圧に応じた大きさの電圧が検出電圧として出力される。
【０００３】
このようなふろ給湯装置において、浴槽内の水位の変化に伴う水位センサの検出電圧の変化が増幅されることで水位センサの分解能が高められるよう、増幅回路を用いることができる。たとえば、増幅回路として差動増幅回路が用いられた場合、水位センサからの検出電圧と基準電圧とが差動増幅回路に入力され、検出電圧と基準電圧との差分電圧が差動増幅回路により増幅される。よって、差動増幅回路から出力される電圧は、水センサからの検出電圧が変化すると、増幅率分だけ倍増して変化する。こうして、差動増幅回路で増幅された電圧が、水位信号としてマイクロコンピュータに入力される。マイクロコンピュータは、水位センサおよび差動増幅回路とともに、水位検出装置を構成する。
【０００４】
ところで、浴槽とふろ給湯装置との間の高さ位置は、これらの設置状況によって変わり得る。よって、浴槽とふろ給湯装置との間の高さ位置が異なれば、浴槽内の水位が同じであっても、水位センサで検出される水圧が異なったものとなるので、水位センサからの検出電圧も異なったものとなる。浴槽とふろ給湯装置との間の高さ位置に関わりなく基準電圧が一定である場合、浴槽内の同じ水位に対して水位信号の電圧値が異なるものとなってしまう。
【０００５】
そこで、上記のように差動増幅回路が用いられた場合、浴槽内の水位が基準水位となった状態において基準電圧の調整が行われ、基準水位における水位信号の電圧値が予め定められた基準値となるように基準電圧の値が設定される。これにより、浴槽とふろ給湯装置との間の高さ位置に関わらず、浴槽内の同じ水位に対して同じ水位信号の電圧値が得られるようになる。
【先行技術文献】
【特許文献】
【０００６】
【特許文献１】特許第４０８４６８５号公報
【発明の概要】
【発明が解決しようとする課題】
【０００７】
基準電圧の調整は、たとえば、ふろ給湯装置を設置した後の試運転時に行われるが、基準電圧の調整に要する時間が長くなってしまうと、試運転の時間も長くなってしまう。
【０００８】
そこで、本発明は、差動増幅回路に入力される基準電圧の素早い設定が可能な水位検出装置およびふろ給湯装置を提供することを目的とする。
【課題を解決するための手段】
【０００９】
本発明の第１の態様に係る水位検出装置は、槽内の水位に基づく水圧を検出し、当該水圧に応じた電圧を検出電圧として出力する水位センサと、前記検出電圧と基準電圧とが入力され、前記検出電圧と前記基準電圧との差分電圧を増幅させる差動増幅回路と、前記差動増幅回路で増幅された電圧が水位信号として入力される制御部と、前記検出電圧を前記制御部に入力させるための検出電圧入力回路と、を備える。ここで、前記制御部は、前記槽内に所定量の水が溜められた状態で前記検出電圧を取得し、取得した前記検出電圧に基づいて、前記水位信号の電圧値が所定値となる前記基準電圧の値を設定する。
【００１０】
具体的には、前記制御部により設定される前記基準電圧の値が、前記制御部により取得された前記検出電圧の値に前記水位信号の電圧値が所定値となる前記差分電圧の値を加算した値とされる。
【００１１】
上記の構成によれば、制御部から基準電圧を出力させ、基準電圧の値を、その大きさを調整しながら、水位信号の電圧値が基準値となるように徐々に絞り込んでいくような構成と違って、基準電圧の設定を素早く行うことができる。
【００１２】
本発明の第２の態様に係るふろ給湯装置は、第１の態様に係る水位検出装置を備える。
【００１３】
上記の構成によれば、第１の態様に係る水位検出装置と同様な作用効果を奏することができる。
【００１４】
本態様に係るふろ給湯装置において、前記基準電圧の設定が試運転時に行われるような構成が採られ得る。
【００１５】
上記の構成によれば、試運転において、基準電圧の設定を素早く行うことができるので、全体として、試運転の時間を短くできる。
【発明の効果】
【００１６】
以上のとおり、本発明によれば、差動増幅回路に入力される基準電圧の素早い設定が可能な水位検出装置およびふろ給湯装置を提供することができる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１は、実施の形態に係る、給湯器付き風呂釜の構成を示す概略図である。
【図２】図２は、実施の形態に係る、水位検出装置の回路ブロック図である。
【図３】図３（ａ）は、実施の形態に係る、ふろ自動試運転の制御処理の動作を示すフローチャートであり、図３（ｂ）は、実施の形態に係る、ふろ自動試運転の制御処理に含まれる基準電圧設定処理の動作を示すフローチャートであり、図３（ｃ）は、実施の形態に係る、ふろ自動試運転の制御処理に含まれる給水量設定処理の動作を示すフローチャートである。
【発明を実施するための形態】
【００１９】
以下、本発明の実施の形態について図面を参照して説明する。
【００２０】
本実施の形態において、給湯器付き風呂釜１０が、特許請求の範囲に記載の「ふろ給湯装置」に対応する。また、浴槽２０が、特許請求の範囲に記載の「槽」に対応する。さらに、マイクロコンピュータ２２０が、特許請求の範囲に記載の「制御部」に対応する。
【００２１】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２２】
図１は、本実施の形態に係る、給湯器付き風呂釜１０の構成を示す概略図である。  給湯器付き風呂釜１０は、たとえば、浴室の横の屋外に配置される。給湯器付き風呂釜１０は、浴室内に設けられたシャワー付きの浴室水栓３０および浴室の外の部屋に設けられた外部水栓４０に湯を供給する給湯機能と、浴室内の浴槽２０に湯を張る湯張り機能と、浴槽２０に張られた湯の追い焚きを行う追い焚き機能とを有する。外部水栓４０は、台所水栓、洗面水栓などの水栓である。
【００２３】
給湯器付き風呂釜１０は、筐体１００内に、給湯部１１０と、追い焚き部１２０と、バイパス部１３０と、制御回路１４０とを備える。
【００２４】
給湯部１１０は、給水管路１１１と、給湯熱交換器１１２と、給湯管路１１３と、給湯燃焼器１１４と、給気ファン１１５とを含む。給水管路１１１は、水道管と給湯熱交換器１１２とに繋がり、給湯管路１１３は、給湯熱交換器１１２と浴室水栓３０および外部水栓４０とに繋がる。給湯燃焼器１１４には、ガス電磁弁１１６により開閉される給湯ガス管路１１７を通じてガスが供給される。給湯燃焼器１１４は、ガスを燃料として燃焼する。給気ファン１１５は、給湯燃焼器１１４に燃焼用の空気を供給する。給水管路１１１には、給水管路１１１内を流れる水の流量を検出する流量センサ１１８が配置される。
【００２５】
追い焚き部１２０は、戻り管路１２１と、風呂熱交換器１２２と、往き管路１２３と、風呂燃焼器１２４と、循環ポンプ１２５と、水位センサ２１０とを含む。戻り管路１２１は、浴槽２０の循環アダプタ２１と風呂熱交換器１２２とに繋がり、往き管路１２３は、風呂熱交換器１２２と循環アダプタ２１とに繋がる。風呂燃焼器１２４には、ガス電磁弁１２６により開閉される風呂ガス管路１２７を通じてガスが供給される。風呂燃焼器１２４は、ガスを燃料として燃焼する。給気ファン１１５が給湯部１１０と追い焚き部１２０との間で共用され、給気ファン１１５から風呂燃焼器１２４に燃焼用の空気が供給される。戻り管路１２１に、循環ポンプ１２５および水位センサ２１０が配置される。水位センサ２１０は、戻り管路１２１内の水位センサ２１０の配置位置における水圧に基づいて浴槽２０内の水位を検出する。
【００２６】
バイパス部１３０は、バイパス管路１３１と、給湯電磁弁１３２とを含む。バイパス管路１３１は、給湯管路１１３と戻り管路１２１とに繋がる。給湯電磁弁１３２は、バイパス管路１３１を開閉する。
【００２７】
制御回路１４０は、マイクロコンピュータ２２０（以下、「マイコン２２０」と略する）等を含み、給湯部１１０の給湯燃焼器１１４、給気ファン１１５、ガス電磁弁１１６および流量センサ１１８、追い焚き部１２０の風呂燃焼器１２４、循環ポンプ１２５、水位センサ２１０およびガス電磁弁１２６、バイパス部１３０の給湯電磁弁１３２などを制御する。
【００２８】
浴室水栓３０または外部水栓４０が開かれると、給湯機能が実行される。水道管からの水が給水管路１１１を通じて給湯熱交換器１１２に導入されるとともに、給湯燃焼器１１４が燃焼して給湯熱交換器１１２が加熱される。給湯熱交換器１１２に導入された水（冷水）が加熱されて湯（温水）となり、湯が給湯管路１１３を通じて浴室水栓３０または外部水栓４０に供給される。浴室水栓３０または外部水栓４０が閉じられると、水道管から給水管路１１１への給水が停止するとともに給湯燃焼器１１４の燃焼が停止する。
【００２９】
次に、給湯器付き風呂釜１０に接続された、図示しない浴室リモコンや外部リモコンから浴槽２０への湯張りの指令を受けると、湯張り機能が実行される。給湯電磁弁１３２が開放されるとともに、水道管からの水が給水管路１１１を通じて給湯熱交換器１１２に導入され、給湯熱交換器１１２で加熱される。そして、給湯熱交換器１１２からの湯が給湯管路１１３およびバイパス管路１３１を通じて戻り管路１２１に導入される。戻り管路１２１に導入された湯の一部は、戻り管路１２１を循環アダプタ２１側へと流れ、循環アダプタ２１から浴槽２０内に注がれる。戻り管路１２１に導入された湯の残りは、戻り管路１２１を風呂熱交換器１２２側へと流れ、さらに風呂熱交換器１２２および往き管路１２３を流れて循環アダプタ２１から浴槽２０内に注がれる。給湯が行われて浴槽２０内に少なくとも循環アダプタ２１よりも上の位置まで湯が溜められると、戻り管路１２１、風呂熱交換器１２２および往き管路１２３が水で満たされた状態となる。これにより、水位センサ２１０での浴槽２０内の水位検出が可能となる。ユーザは、浴室リモコン等を用いて、低水位、中水位、高水位など複数段階に設けられた設定水位の中から所望の設定水位を選択できる。浴槽２０内の水位がユーザよって予め選択された設定水位に到達するまで浴槽２０内に湯が溜められると、給湯電磁弁１３２が閉じられ、水道管から給水管路１１１への給水が停止するとともに給湯燃焼器１１４の燃焼が停止する。
【００３０】
なお、後述するふろ自動試運転において、ユーザが選択可能な各設定水位に対応する浴槽２０内への湯の給水量が決定される。給湯の際、制御回路１４０（マイコン２２０）は、流量センサ１１８により検出される給水流量と給水時間とから給水量を求めることができる。よって、選択された設定水位に対応する給水量の湯が浴槽２０内に供給されたとき、制御回路１４０（マイコン２２０）は、設定水位に到達したと判定して、給水と燃焼とを停止させる。その後、制御回路１４０（マイコン２２０）は、水位センサ２１０を用いて浴槽２０内の実際の水位を検出し、実際の水位が設定水位に対して許容される水位より低い場合に、追加の給湯を行う。
【００３１】
次に、浴室リモコンや外部リモコンから追い焚きの指令を受けると、あるいは、浴槽２０内の湯温が予め設定された下限温度よりも低くなると、追い焚き機能が実行される。循環ポンプ１２５が作動するとともに風呂燃焼器１２４が燃焼する。浴槽２０内の湯が、戻り管路１２１、風呂熱交換器１２２および往き管路１２３からなる循環路と浴槽２０との間で循環し、その間に風呂熱交換器１２２で加熱される。これにより、浴槽２０内の湯温が上昇する。浴槽２０内の湯温が予め設定された上限温度よりも高くなると、循環ポンプ１２５が停止するとともに風呂燃焼器１２４の燃焼が停止する。
【００３２】
水位センサ２１０およびマイコン２２０は、後述する、水位検出のために必要な各回路とともに、給湯器付き風呂釜１０に設けられた水位検出装置２００を構成する。
【００３３】
図２は、本実施の形態に係る、水位検出装置２００の回路ブロック図である。
【００３４】
水位検出装置２００は、水位センサ２１０およびマイコン２２０に加えて、差動増幅回路２３０と、基準電圧入力回路２４０と、検出電圧入力回路２５０とを備える。水位センサ２１０は、センサ基板２６０に搭載され、マイコン２２０、差動増幅回路２３０、基準電圧入力回路２４０および検出電圧入力回路２５０は、制御基板２７０に搭載される。なお、制御基板２７０には、図示されていないが、給湯燃焼器１１４、給気ファン１１５などの他の負荷を駆動するための回路も搭載される。
【００３５】
水位センサ２１０は、センサ素子２１１と、ＡＳＩＣ（applicationspecific integrated circuit）２１２とを含む。センサ素子２１１は、その検出位置において生じる、浴槽２０内の水位に基づく水圧を検出する。ＡＳＩＣ２１２の電源ポート２１２ａには、制御基板２７０から電源電圧Ｖｃｃが入力される。ＡＳＩＣ２１２は、センサ素子２１１が検出した水圧に応じた電圧Ｖ１（以下、「検出電圧Ｖ１」と称する）を出力ポート２１２ｂから出力する。
【００３６】
本実施の形態では、浴槽２０に対して給湯器付き風呂釜１０が設置できる高さ範囲の関係から、たとえば、水位センサ２１０は、センサ素子２１１が、浴槽２０内の水面の高さ位置と水位センサ２１０の高さ位置との差が−５ｍから７ｍまでの１２ｍの範囲の水圧を検出できるような性能を有する。たとえば、ＡＳＩＣ２１２に入力される電源電圧Ｖｃｃは５Ｖとされ、ＡＳＩＣ２１２からは、検出された水圧に応じて０．５Ｖから４．５Ｖの範囲の検出電圧Ｖ１が出力される。
【００３７】
このように、給湯器付き風呂釜１０に設けられる水位センサ２１０では、浴槽２０に対して給湯器付き風呂釜１０が設置できる高さ範囲が広いために、センサ素子２１１が検出できる水圧、即ち水位の範囲が広くされる。これに対し、給湯器付き風呂釜１０が設置された後に実際に水位が検出される範囲は、浴槽２０の高さ寸法より小さな狭い範囲となる。よって、たとえば、実際の水位の検出範囲が１ｍ程度であるとしても、その範囲で水位が変動したときの検出電圧Ｖ１の変動は、わずか０．３Ｖ程度となる。このため、ＡＳＩＣ２１２、即ち水位センサ２１０から出力された検出電圧Ｖ１が、そのまま水位信号としてマイコン２２０に入力された場合、分解能が低いために、水位の検出精度が低くなりやすい。そこで、本実施の形態では、分解能を高めるために、水位検出装置２００に差動増幅回路２３０が備えられる。
【００３８】
差動増幅回路２３０は、オペアンプＩＣ１を含み、オペアンプＩＣ１に、水位センサ２１０から出力された検出電圧Ｖ１とマイコン２２０から出力された基準電圧Ｖｒｅｆとが入力される。また、差動増幅回路２３０は、抵抗Ｒ１、抵抗Ｒ２、抵抗Ｒ３、抵抗Ｒ４、抵抗Ｒ５および抵抗Ｒ６を含む。基準電圧Ｖｒｅｆと検出電圧Ｖ１の差分電圧が、抵抗Ｒ１の値（＝抵抗Ｒ２の値）と抵抗Ｒ３の値（＝抵抗Ｒ４の値）との比で決まる増幅率によりオペアンプＩＣ１で増幅され、抵抗Ｒ５と抵抗Ｒ６とで分圧された電圧Ｖ２（以下、「増幅電圧Ｖ２」と称する）が、差動増幅回路２３０から出力される。本実施の形態では、抵抗Ｒ１の値と抵抗Ｒ３の値とを調整することにより、たとえば、増幅率が２１倍とされる。差動増幅回路２３０から出力された増幅電圧Ｖ２は、水位信号としてマイコン２２０のＡ／Ｄ入力ポート２２０ａに入力される。
【００３９】
基準電圧入力回路２４０は、差動増幅回路２３０への基準電圧Ｖｒｅｆの入力ラインであり、マイコン２２０のＤ／Ａ出力ポート２２０ｂから出力された基準電圧Ｖｒｅｆが基準電圧入力回路２４０を通じて差動増幅回路２３０のオペアンプＩＣ１に入力される。基準電圧入力回路２４０には、バッファとしてのオペアンプＩＣ２が含まれており、差動増幅回路２３０への安定した基準電圧Ｖｒｅｆの入力が行われる。
【００４０】
検出電圧入力回路２５０は、マイコン２２０への検出電圧Ｖ１の入力ラインであり、水位センサ２１０から出力された検出電圧Ｖ１が、直接（分圧など加工されず）、検出電圧入力回路２５０を通じて、マイコン２２０のＡ／Ｄ入力ポート２２０ｃに入力される。
【００４１】
マイコン２２０は、ＣＰＵ、ＲＡＭ、ＲＯＭ等を含む。マイコン２２０は、入力した水位信号に基づいて浴槽２０内の水位を判定する。ここで、浴槽２０内の水位の変化に伴う水位信号の変化は、検出電圧Ｖ１の変化に差動増幅回路２３０による増幅率を乗算したものとなる。よって、水位検出装置２００は、十分な分解能を得ることができる。
【００４２】
さて、浴槽２０と給湯器付き風呂釜１０との間の高さ位置は、これらの設置状況によって変わり得る。よって、浴槽２０と給湯器付き風呂釜１０との間の高さ位置が異なれば、浴槽２０内の水位が同じであっても、水位センサ２１０で検出される水圧が異なったものとなるので、水位センサ２１０からの検出電圧Ｖ１も異なったものとなる。浴槽２０と給湯器付き風呂釜１０との間の高さ位置に関わりなく基準電圧Ｖｒｅｆが一定である場合、浴槽２０内の同じ水位に対して水位信号の電圧値が異なるものとなってしまう。
【００４３】
そこで、本実施の形態では、給湯器付き風呂釜１０が設置された後に、ふろ自動試運転が行なわれ、ふろ自動試運転の中で基準電圧Ｖｒｅｆの値が設定される。その後、浴槽２０内の水位検出が行われる際には、設定された値の基準電圧Ｖｒｅｆが、マイコン２２０から出力される。そして、マイコン２２０は、入力された水位信号、即ち、増幅電圧Ｖ２に基づいて浴槽２０内の水位を判定する。
【００４４】
図３（ａ）は、本実施の形態に係る、ふろ自動試運転の制御処理の動作を示すフローチャートであり、図３（ｂ）は、本実施の形態に係る、ふろ自動試運転の制御処理に含まれる基準電圧設定処理の動作を示すフローチャートであり、図３（ｃ）は、本実施の形態に係る、ふろ自動試運転の制御処理に含まれる給水量設定処理の動作を示すフローチャートである。
【００４５】
図３（ａ）を参照して、ふろ自動試運転が開始されると、マイコン２２０は、給湯電磁弁１３２を開放させることにより、第１水量（たとえば、８０Ｌ）の水を浴槽２０内に注水する（Ｓ１）。ここで、第１水量は、循環アダプタ２１よりも高い位置まで浴槽２０内に水が溜められる水量とされる。このときの浴槽２０内の水位が基準水位となる。なお、浴槽２０内に溜められる水は、冷水であってもよいし温水（湯）であってもよい。浴槽２０内に湯を供給する場合、マイコン２２０は、給湯電磁弁１３２の開放とともに給湯燃焼器１１４を燃焼させる。この場合、ふろ自動試運転において、浴槽２０内に正常に湯が供給されるかの確認を行うことができる。
【００４６】
第１水量の水が浴槽２０内に溜められると、マイコン２２０は、基準電圧設定処理を行う（Ｓ２）。基準電圧設定処理は、基準水位においてマイコン２２０に入力される水位信号の電圧値が基準値（たとえば、１．３７Ｖ）となる基準電圧Ｖｒｅｆの値を設定するための処理である。図３（ｂ）を参照して、マイコン２２０は、水位センサ２１０から出力された検出電圧Ｖ１の値を取得する（Ｓ１０１）。
【００４７】
マイコン２２０には、たとえばＲＯＭに、水位信号の電圧値が基準値となる差分電圧の値（以下、「基準差分電圧値」と称する）が記憶されている。基準差分電圧値は、以下の式によって求められる。
基準差分電圧値＝基準値÷（増幅率×抵抗Ｒ６の抵抗値／（抵抗Ｒ５の抵抗値＋抵抗Ｒ６の抵抗値））
【００４８】
検出電圧Ｖ１を取得すると、マイコン２２０は、ＲＯＭ等から基準差分電圧値を読み出す（Ｓ１０２）。そして、マイコン２２０は、取得した検出電圧Ｖ１の値に基準差分電圧値を加算し（Ｓ１０３）、加算した後の電圧値を、基準電圧Ｖｒｅｆの値として設定する（Ｓ１０４）。こうして、基準電圧設定処理が終了する。
【００４９】
図３（ａ）に戻り、基準電圧設定処理が終了すると、マイコン２２０は、給湯電磁弁１３２を開放させることにより、第２水量（たとえば、４０Ｌ）の水を浴槽２０内に注水する（Ｓ３）。そして、マイコン２２０は、給水量設定処理を行う（Ｓ４）。給水量設定処理は、ユーザが選択可能な浴槽２０の各設定水位まで湯を溜めるのに必要な各給水量を決定するための処理である。
【００５０】
図３（ｃ）を参照して、マイコン２２０は、設定された基準電圧Ｖｒｅｆを出力するとともに水位信号を取得し、取得した水位信号に基づいて浴槽２０内の水位を判定する（Ｓ２０１）。次に、マイコン２２０は、判定した水位と基準水位とから水位が上昇した上昇高さを求め、第２水量を上昇高さで除算することにより、浴槽２０の面積を算出する（Ｓ２０２）。浴槽２０の各設定水位には、基準水位からの高さが予め決められており、マイコン２２０は、各設定水位における基準水位からの高さに浴槽２０の面積を乗算し、その値に基準水位の水量を加算することにより、各設定水位に対する給水量を決定する（Ｓ２０３）。こうして、給水量設定処理が終了する。給水量設定処理が終了すると、ふろ自動試運転が終了する。
【００５１】
＜実施の形態の効果＞
本実施形態によれば、以下の効果が奏され得る。
【００５２】
マイコン２２０が、水位センサ２１０からの検出電圧Ｖ１を取得し、基準水位における水位信号の電圧値が基準値となる基準電圧Ｖｒｅｆの値を、取得した検出電圧Ｖ１に基づいて設定するような構成とされている。具体的には、取得した検出電圧Ｖ１に、水位信号の電圧値が基準値となる基準差分電圧値を加算した電圧値を、基準電圧Ｖｒｅｆの値として設定するようにしている。このため、マイコン２２０から基準電圧Ｖｒｅｆを出力させ、基準電圧Ｖｒｅｆの値を、その大きさを調整しながら、水位信号の電圧値が基準値となるように徐々に絞り込んでいくような構成と違って、基準電圧Ｖｒｅｆの設定を素早く行うことができる。
【００５３】
また、ふろ自動試運転において、基準電圧Ｖｒｅｆの設定を素早く行うことができるので、全体として、ふろ自動試運転の時間を短くできる。
【００５４】
以上、本発明の実施の形態について説明したが、本発明は、上記実施の形態によって何ら制限されるものではなく、また、本発明の実施の形態も、上記以外に種々の変更が可能である。
【００５５】
たとえば、上記実施の形態では、検出電圧入力回路２５０は、水位センサ２１０から出力された検出電圧Ｖ１が、直接、マイコン２２０に入力される構成とされた。しかしながら、検出電圧入力回路２５０は、検出電圧Ｖ１が分圧された電圧がマイコン２２０に入力される構成とされてもよい。たとえば、水位センサ２１０から出力される検出電圧Ｖ１の範囲が、マイコン２２０に入力可能な電圧の範囲を超える場合に分圧がなされ得る。
【００５６】
また、上記実施の形態では、給湯器付き風呂釜１０が設置されたとき行われる試運転時に基準電圧Ｖｒｅｆの設定が行われた。しかしながら、その他のタイミング、たとえば、最初の湯張り機能の運転において、基準電圧Ｖｒｅｆの設定が行われてもよい。
【００５７】
さらに、上記実施の形態では、マイコン２２０が、取得した検出電圧Ｖ１の値に基準差分電圧値を加算する演算を行い、設定する基準電圧の値を求めた。しかしながら、各検出電圧Ｖ１の値に対応する基準電圧Ｖｒｅｆの値がルックアップテーブルに記憶され、このルックアップテーブルを用いて、マイコン２２０が基準電圧Ｖｒｅｆの設定を行うような構成が採られてもよい。
【００５８】
さらに、上記実施の形態では、湯張り機能と追い炊き機能とを有する給湯器付き風呂釜１０に本発明の水位検出装置およびふろ給湯装置が適用された例が示された。しかしながら、湯張り機能を有するが追い炊き機能を有しない給湯器（ガス給湯器、電気給湯器）に、本発明の水位検出装置およびふろ給湯装置が適用されてもよい。
【００５９】
この他、本発明の実施形態は、特許請求の範囲に記載の範囲で適宜変更可能である。
【符号の説明】
【００６０】
１０  給湯器付き風呂釜（ふろ給湯装置）
２０  浴槽（槽）
２００  水位検出装置
２１０  水位センサ
２２０  マイクロコンピュータ
２３０  差動増幅回路
２５０  検出電圧入力回路
【図１】
2019124658.tif 000003
【図２】
2019124658.tif 000004
【図３】
2019124658.tif 000005